Podtech/llm-jp-corpus-v4-ja_patent huggingface dataset:
(57)【要約】      （修正有）【課題】挟み押え込む又支柱の角度も変えられる機能と支柱をネジ付リングで固定することにより鉢植の植木草花等の固定及び安定することができる。【解決手段】板バネ３で植木鉢９を挟み支柱８の角度を変えることのできる切り込み４と突起物ダブル６を設け支柱をネジリング５で締めることにより植物を安定させることを特徴とする。【選択図】図１
2006055155.tif 000002
【特許請求の範囲】
【請求項１】
内部板及び外部板を板バネ又はバネで結合させ植木鉢の縁に挟み抑え内部板及び外部板に切り込み及び穴を入れ支柱の角度も変えられる斜め支柱、内部板の背面に突起物を備え垂直の支柱をも共有でき支柱をネジ付リングで締めることにより支柱を任意の長さに固定することが出来る植物を安定させる支持具
【発明の詳細な説明】
【技術の分野】
【０００１】  この発明は内部板と外部板を板バネで結合して植木鉢の縁を挟み押える支持具に関するものである。［背景技術］
【０００２】  植木鉢の植木を植え替える時アルミ針金を植木鉢の底の穴に通し植木の幹等を巻いて固定していた。根付き期間が過ぎてもアルミ針金を取り除くことが難かしい。例えば特開昭６２−２０１５２１  特開平０８−１３０９８９  実開昭５５−５１７６  実開昭５５−５１７７  実開昭６１−１３９１６０［発明の開示］［発明が解決しようとする課題］
【０００３】  これは次のような問題点があった。植木を植え替える時根の下の土の空洞及びアルミ針金で幹等に巻いた後のゆるみ、根や幹にキズを付けたり枝等の損傷等素人では大変な作業で高度な技術を必要とする。［課題を解決するための手段］
【０００４】  植木鉢の縁に挟み押える支持具を対象物の任意の箇所に斜め支柱、垂直の支柱をセットし植木を固定したりヒモ等で草花を安定させる、又盆栽の枝等の形を任意の形に整える役目にも応用できる。［発明の効果］
【０００５】  鉢植の植木及び草花の植え替えが簡単にできる。アルミ針金の使用量を減らすことができる。支柱を支持具にセット固定することにより支柱のぐらつきを防ぐ植木鉢の色々な大きさにとらわれず取りつけることができる利点がある。［発明を実施するための最良の形態］
【０００６】  鉢植の植木を植え替える時、植木を安定させるために幹等にアルミ針金等を使用する高度な技術を必要としないで植え替えができる。
【０００７】  鉢植の草花等葉が広がりすぎたり、花芽が重くて茎が傾いたりするのを防ぐための斜めの支柱及び垂直の支柱を兼ね備えた支持具を提供する。［実施例１］
【０００８】  支持具は外部板１又内部板２を板バネ３で結合することにより植木鉢の縁を挟み押え込む対象物の任意の箇所に取り付け又植木鉢の様々な大きさに任意に取り付けることができる。
【０００９】  切り込み４は支柱を斜めにし対象物を任意に固定する為外部板１及び内部板２に数箇所設け支柱の角度を変える。
【００１０】  ネジ付リング５は支柱８をネジで締めることにより支持具に固定させ、支柱の動きを防ぐ又支柱８の長さも調整することができる。
【００１１】  突起物ダブル６突起物シングル７は垂直支柱専用で多少外側、内側に角度を変えることが可能であり草花の広がりをヒモ等で輪にして防ぐのに役立つ［産業上の利用可能性］
【図面の簡単な説明】
【００１２】
【図１】発明の全体の側面
【図２】全体図
【符号の説明】
【００１３】１、外部板        ２、内部板        ３、板バネ          ４、切り込み５、ネジ付リング  ６、突起物ダブル  ７、突起物シングル  ８、支柱９、植木鉢      １０、植木
【図１】
2006055155.tif 000003
【図２】
2006055155.tif 000004
(57)【要約】      （修正有）【課題】従来のゴキブリ捕獲装置はスプレーでゴキブリに毒を噴霧したり粘着テープに固着したりするものが主流で捕獲量が少なく且つ不確実であるのみならず人体にも生態系にも悪影響を及ぼすものである。【解決手段】上記の課題を解決するため漏斗状容器に平坦（扁平）な侵入口を設け、胡麻などのえさ（餌）の匂（臭）いにつられて侵入した大量のゴキブリを一網打尽にする。しかも環境保全にも寄与するものである。【選択図】図１
2006055154.tif 000002
【特許請求の範囲】
【請求項１】
口を薄形（型）平坦にし、熱に強く錆びない特殊漏斗と径を等しくする同様な材質の回収容器から成るゴキブリ捕獲・処理器
【発明の詳細な説明】
【技術分野】
【０００１】  本発明は害虫捕獲に関する。〔背景技術〕【０００２】  従来のゴキブリ駆除には４種類ほどの方式がある。殺虫剤を噴霧するスプレー式、粘着テープでゴキブリを固着せしめる方式、硼酸（ｂｏｒｉｃ  ａｃｉｄ）を食べさせる方式、ペット・ボトルを利用して侵入後退出させるものである。【０００３】  つまり化学物質（毒物）で殺すかテープに固着し、動けなくするなど市販されているものでは確実且つ大量にゴキブリを駆除できないのみならず人が吸入する危険性やスプレー噴霧器やペットボトルなど使い捨てられ地球環境に負荷をかける欠点もある。〔特許文献１〕特願２００２−２８６８（Ｐ２００２−２８６８）〔発明の開示〕〔発明が解決しようとする課題〕【０００４】  以上述べた如く従来の方式は人体に有害、地球環境に負荷をかけ、あまつさえ確実性にも欠ける。【０００５】  ゴキブリはポリオを媒介し、小児マヒにかかると一生不具廃疾の状態で過ごすことになる。この難病を媒介するゴキブリの天敵はクモとネズミだが、ペストを媒介したり電気配線を食いちぎるネズミに頼るわけにはまいらない。  さりとてクモでは成虫になったゴキブリの退治は荷が重い。【０００６】  そこで人間の知恵で地球環境に負荷をかけず駆除する必要性がある。〔課題を解決するための手段〕【０００７】  そして、本発明は上記目的を達成するため漏斗状のゴキブリ侵入口から大量のゴキブリを導き袋か回収部に捕獲する。【０００８】  第１の課題解決手段は自治体の指定袋に回収する。【０００９】  第２の課題解決手段は下部の回収容器に回収する。【００１０】  第１の課題解決手段では大量のゴキブリ回収確認後、袋を閉じて振りまわすとゴキブリは平衡感覚をなくし即死する。【００１１】  第２の課題解決手段では熱湯を注いでゴキブリを即死せしめ、下部の容器からとり出し台所の野菜くずなどとともに土中に埋めるなどして処理する。【００１２】  いずれの課題解決手段においても回収したものを堆肥として利用すれば土壌は肥沃となり地球環境の保全にも役に立つ。またゴキブリにも苦痛を与えない。〔発明の効果〕【００１３】  上述した如く本発明のゴキブリ捕獲処理容器は生態系を乱すことなくゴキブリを駆除することを可能ならしめる。〔発明の実施するための最良の形態〕【００１４】  以下、本発明の実施の形態を図１〜図２に基づいて説明する。【００１５】  図１では円筒状の容器１に指定袋２を敷き被せるようセットしすりゴマ（胡麻）を２０ｇほどえさとして入れる【００１６】  図２では４は回収容器でその上にえさの胡麻を２０ｇほど直接その容器内に置く、５と６は一体のものでも分離されたものでもさしつかえないがその侵入容器を４に被せるか、ねじ込む。【００１７】  図１の方式では自治体の指定袋等に回収し振りまわすだけで漏斗状部分をそっととりはずしてから袋を縛る。【００１８】  図２の方式では熱湯を注いでから（容器内に漏斗口から熱湯を注入）、回収容器４をとりはずす。
【図面の簡単な説明】
【００１９】
【図１】本発明の実施形態を示すゴキブリ捕獲処理容器で第１の課題解決手段の方式に用いるものの断面図とそれを上方から見た平面図である。
【図２】同第２の課題解決手段の方式に用いるものの断面図とそれを上方から見た平面図である。
【符号の説明】
【００２０】１は第１の課題解決手段の方式の回収容器２  同方式の袋３  ゴキブリ侵入容器４  第２の課題解決手段の方式の回収容器５  同方式の漏斗部６と上記４の接合部６  ゴキブリ侵入容器
【図１】
2006055154.tif 000003
【図２】
2006055154.tif 000004
(57)【要約】〔課題〕  従来の麦茶等の飲料は、香味のみの飲料であり、でんぷん質のもつ旨さ、風味がなかった。〔解決手段〕  蕎麦粉、小麦粉、水を加熱沸騰させ、柑橘類の皮汁を添加し、柑橘風味の蕎麦湯状物をつくる。【特許請求の範囲】
【請求項１】
一般的な蕎麦粉、小麦粉、柑橘類の皮汁、水を原料として、蕎麦粉、小麦粉を重量比２：８にして、水を混合して、加熱沸騰させた蕎麦湯状物をつくり、柑橘類の皮、汁を添加して混合することを特微とする蕎麦湯飲料、柑橘風味の蕎麦湯飲料とその製造方法。焙煎した蕎麦粉、小麦粉の重量比２：８としたゆず皮入蕎麦粉。
【発明の詳細な説明】
【技術分野】
【０００１】  本発明は、蕎麦粉質的でんぷんと小麦粉質的でんぷん、柑橘類の皮汁、水を加熱沸騰させ混合して、蕎麦湯状物にした、従来にない新しい柑橘風味の蕎麦湯飲料と、その製造方法に関するものです。
〔背景技術〕【０００２】  従来の麦茶飲料は、焙煎大麦を高温で香りのみを抽出したものが普通です。そのため香味を飲むだけの飲料で、でんぷん質の旨さ風味、柑橘類の風味を味わい楽しむことが出来なかった。
〔特許文献１〕特開平０３−７９３５０号  公報
〔非特許文献２〕「伊藤園  麦茶」株式会社伊藤園
〔発明の開示〕
〔発明が解決しようとする課題〕【０００３】  以上に述べた従来の麦茶飲料は、でんぷん質のもつ旨み風味を味わうことが出来ず香りのみを抽出した飲料でした。【０００４】  本発明は、このような従来の構成が有していた問題を解決しようとするものであり、蕎麦粉質的でんぷんと小麦粉質的でんぷん、柑橘類の皮、汁、水を効果的に混合した柑橘風味の蕎麦湯状物の旨みとその風味のある飲料を実現することを目的とするものです。
〔課題を解決するための手段〕【０００５】  そして、本発明は上記目的を達成するために、蕎麦粉小麦粉、水を加熱沸騰させ柑橘類の皮汁等を添加し、蕎麦粉質的でんぷん、小麦粉質的でんぷんでその旨みと風味のある柑橘風味の蕎麦湯状物をつくり目的に合うことをつきとめ完成することが出来ました。
〔発明の効果〕【０００６】  上述したように本発明は、蕎麦粉、質的、小麦粉質的でんぷんと柑橘類の皮、汁で、でんぷん質の持つ旨さ風味、柑橘類のもつさわやかな風味の蕎麦湯状物の飲料と、又蕎麦をゆだた後にしか得られなかった蕎麦湯をいつでも、どこでも、あたたかい、冷たく冷した柑橘風味の蕎麦湯飲料を飲むことが出来る簡便さを提供します。
〔実施例〕【０００７】  蕎麦粉、小麦粉を重量比２：８に、好みの量の水を原料として、加熱、沸騰させて蕎麦湯状物をつくり柑橘類の皮、汁を添加して混合した柑橘風味の蕎麦湯飲料。
(57)【要約】      （修正有）【課題】近所迷惑なペットの排泄物を清潔に簡単に後始末が出来るように柄に輪とハサミ具を付けたペットの糞取り器を提供する。【解決手段】柄１の一端に輪３を付け、輪３の根元近くにハサミ具２を柄１の上下に取付けて、袋４を輪に中通しして、ハサミ具２で袋３の端を止めて使用するペットの糞取り器を提供する。【選択図】  図１
2006055152.tif 000002
【特許請求の範囲】
【請求項１】
柄（１）に輪（３）とハサミ具（２）を取付けて、袋（４）を止めて使用するペットの糞取り器
【発明の詳細な説明】
【発明の詳細な説明】
【０００１】［発明の属する技術分野］
この発明は、柄の先端に輪を取付けて、輪に袋を通してハサミ具で止めて、ペットの排泄物を簡単に手際良く、清潔に始末出来るペットの糞取りに関するもである。
【０００２】［従来の技術］
従来、道路等にペットが排泄したものをハサンで回収するか、テッシュペ−パ−等で包んで手でつまんで回収していた。
【０００３】［発明が解決しようとする課題］
これは道路等に排泄したものを回収していたのでつぎのような欠点があった。
（イ）軟便の場合回収が大変。
（ロ）道路等に取り残した糞が残る。
（ハ）草むら等の排便は回収が困難。
（二）ニオイを長く嗅いでいる。
（ホ）手でつまんで回収した場合感触が残る。
本発明は、以上のような欠点をなくすためになされたものである。
【０００４】［課題を解決するための手段］
柄（１）の一端に輪（３）を取付け、輪（３）の付け根近くにハサミ具（２）を上下に取付け、輪（３）に袋（４）を中通ししてハサミ具（２）で袋（４）の端を止めて，ペットが排便体制になったら、ペットの糞取り器を差し出して袋（４）に汚物を受けとめた後、袋（４）を下に引きながらハサミ具（２）から外して袋（３）の上部を結ぶ事により、場所を選ばず全ての汚物を残すことなく回収出来て、道路等に汚れを残すこともなく、又いやな感触も感じないで回収出来るペットの糞取り器である。
【０００５】［発明の実施の形態］
以下、本発明の実施の形態について説明する。
柄（１）に輪（３）を取付け、輪（３）の付け根近くにハサミ具（２）を柄（１）の上側と下側に取付ける。本発明は、以上のような構造でこれを使用するときは、輪（３）に袋（４）を中通しして一端を上側のハサミ具（２）で止め、余った袋（４）の上端を外側に折下げ、折下げた袋（４）の両端を下側のハサミ具（２）で止める、これにより、中味が入っても袋（４）が抜け落ちることなく使用出来る。
【０００６】［発明の効果］
道路等に排泄させないで、袋の中に排泄するので、
（イ）軟便でもきれいに回収出来る。
（ロ）道路等に取り残しが無い。
（ハ）草むらやその他、場所をえらばず使用出来る。
（二）複数回になっても使用出来る。
（ホ）厭な手の感触も感じなくて回収出来る。
（ヘ）手を汚さないし、汚物のニオイも最少で済む。
【図面の簡単な説明】［図１］
本発明の斜視図である。
［図２］
本発明の側面図である。
【符号の説明】
１  柄
２  ハサミ具
３  輪
４  袋
【図１】
2006055152.tif 000003
【図２】
2006055152.tif 000004
(57)【要約】【課題】犬、猫等のペットに所定の量の薬やサプリメントを、簡単に飲み込ませ、また万が一飲み残しても、飲み残した薬の種類、量を薬をやった人間が把握できるようにすることが課題である。【解決手段】  犬、猫が好んで食べるジャーキーの形状を、中空構造とし、その空洞部分にペットに飲ませようとする薬もしくはサプリメントを入れ、空洞部分がちょうど埋まる形状となっているふた用のジャーキーでこの空洞をふさぐ。薬を飲ませようとしている犬や猫に対して、中に薬の入ったこの状態のジャーキーをやると、吐き出すこと無く、すんなりと飲み込んでくれる。【選択図】「図１」
2006055149.tif 000002
【特許請求の範囲】
【請求項１】
犬、猫等の愛玩動物が好んで食べる、ジャーキーなどのケーシング製品に於いて、内部に薬あるいはサプリメントを入れ込むための、隙間もしく空洞が存在すること。
【請求項２】
これらの隙間もしく空洞は入れ込んだ薬やサプリメントがこぼれ落ちないように、ふたとして機能する別のジャーキーで密閉できる構造となっていること。
【発明の詳細な説明】
【技術分野】
【０００１】  犬や猫等の愛玩動物に薬やサプリメントを与える場合に使用するジャーキー等のケーシング製品の構造に関する。
【背景技術】
【０００２】  犬や猫等のペットに薬やサプリメントを飲ませようとしても、ペットはそれらを異物として認識してしまい、飲み込ますことが極めて困難だった。このため、錠剤状の物は砕いてペットの好む食物や飲み水に混ぜ込んで与えたりする場合も有るが、食べ残し、飲み残し等があるため、飲み込んだ量の正確な把握が極めて困難で、病気の動物においては薬物服用による治療を難しいものとしていた。
【発明の開示】
【発明が解決しようとする課題】
【０００３】  犬、猫等のペットに所定の量の薬やサプリメントを、簡単に飲み込ませ、また万が一飲み残しても、飲み残した薬の種類、量を薬をやった人間が把握できるようにすることが課題である。
【課題を解決するための手段】
【０００４】  本発明の「犬、猫給薬用えさ」の例を図１に示す。
犬、猫が好んで食べるジャーキーの形状を、１の様に中空構造とし、その空洞部分３にペットに飲ませようとする薬もしくはサプリメント４を入れ、空洞部分がちょうど埋まる形状となっているふた用のジャーキー２でこの空洞をふさぐ。薬を飲ませようとしている犬や猫に対して、中に薬の入ったこの状態のジャーキーをやると、吐き出すこと無く、すんなりと飲み込んでくれる。
【発明の効果】
【０００５】  従来動物に薬をやる場合には、薬剤を単独で飲み込ませたり、食事、飲み物に混ぜてやったりしていたが、異物と思って吐き出したり、食事の味が混入した薬によって変ってしまったりするため、薬を所定の量だけ飲み込ませることは非常に難しかった。
しかし、この犬、猫給薬用えさを使用すれば、所定の量をきわめて容易にのませることが出来るようになる。また、嫌がるのを無理やり飲ませることが無くなるために、病気の動物が、不必要に体力を消耗させることも無くなる。
また、薬は錠剤のまま、空洞部分に入れることが出来るので、粉末状にして飲み水や食事に混合させる必要が無いため、薬を飲み込まずに口中から出してしまった場合でも、人間がそれを確認でき、改めて本発明のジャーキーに吐き出した薬を詰めなおして、再度飲み込ませるようにすることにより、動物に対して確実に薬を飲み込ませることが出来るようになる。
このようにして、確実な投薬の管理が出来るようになるため、薬の効能がより確実なものとなる。
【発明を実施するための最良の形態】
【０００６】  これらを与えた動物が１〜２回噛んだだけでは中に仕込んだ薬が飛び出してこないように、しっかりと薬が中に保持される必要があるが、その具体的な方法としては図１に示したように中空状の物にふたをする方式の他に、ジャーキーで出来た二つ折のがまぐち状のもので薬を挟み込む方式のもの、中空の半球状のジャーキーを２個はめ合わせる方式等があるが、飲ませる薬の量や形状、動物の好みによってそれらは選択される。
【実施例】
【０００７】  この給薬用えさを使用すれば、薬を簡単に飲み込んでくれるようになるが、更に確実な方法として、薬を仕込んだ給薬用えさを与えた後、直ちに薬の入っていない給薬用えさを与える方法や、薬を仕込んだ給薬用えさを飲み込んだのを確認した後で、通常の食事を与える方法、等を取ることにより薬を飲み込むことがより確実な物となる。
また、よりスムーズに薬を飲み込ませるためには、普段から薬の仕込まれていない、この給薬用えさを断続的に与えておくことにより、薬を仕込んだ場合にも動物はストレスなしに、飲み込んでくれるように習慣づけする方法もある。
【産業上の利用可能性】
【０００８】  犬、猫等の愛玩動物に対して薬、サプリメントを容易に、確実に飲み込ませることが出来るようになるため、ペット愛好者、動物病院等で広範に使われる可能性がある。
【図面の簡単な説明】
【０００９】
【図１】  「犬、猫給薬用えさ」
【符号の説明】
【００１０】  １は中空状のジャーキー
２は空洞部分をふさぐ蓋状のジャーキー
３は薬等を入れ込む空洞部分
４はペットに飲み込ませようとしている薬
【図１】
2006055149.tif 000003
(57)【要約】      （修正有）【課題】暑い日中を歩き難い泥田を重い肥料などを入れた箕を片手で体側に抱え、それらを他の手で摘みながら歩いて散布している労苦を無くするのを目的とする。【解決手段】二本の杭１１．１２の間を中央部に窪み２２を有する懸板２１．２２を掛け、乗せ板３１の中央部にストッパー４を接着あるいは木ネジで締めて穴３に心棒５が通常その位置を保持しているが、耕作者が他の田の潅水を終えて、再びこの田にきたときに穴３の位置に戻せば「潅水の隙間ｓ２が大Ｈとなり、一時に潅水と共に満水位Ｈを保って、「防土水筒」９の角度の数個の「潅水出口」９１．９２から大量の「肥料などの収納袋７から噴水して、広い田の隅々まで到達して常に満水位を保ち、少しづつ潅水を続けて、貴重なる潅水を節約する。【選択図】図１
2006055147.tif 000002
【特許請求の範囲】
【請求項１】
二本の杭の間を中央部にＶみを有する懸板をかけてＶみに二本の釣り紐を懸け、乗せ板の上に乗せた収納袋の下端近くに小さな数個の噴肥水出口を開け、上端部の針金袋の切り口から針金を通して適当な輪にして紐で結んで共に切断し、針金袋の切り口から二本の釣り紐で肥水袋を懸板に吊し、乗せ板３１の中央部前端部に小面積のストッパー４を接着、或いは木ねじで締めて乗せ板３１の前端部の心棒収納穴３３を通した心棒の先端５１をストップさせ、耕作者が他の田を回って帰って来たときに外せば自動的に５２の状態を保つ完全に溶解した肥料などの収納装置。
【発明の詳細な説明】
【発明の詳細な説明】
【技術分野】
【０００１】  現在既大規模耕地整理地区でも肥料、除草虫病剤を暑い日中歩き難い泥田を歩きながら重いそれらを入れた箕を抱きながら、少量のそれらを握って散布の労苦を、完全に溶解したそれらを「取水Ｕ字溝体」内の潅水に混入して少しでもそれらの労苦を解少したい。
【背景技術】
【０００２】  １０年ほど前から未耕地整理地区や小面積の既耕地整理地区ではセンサーを使用し圧縮ポンプ、送水ホース埋没する施設している。【０００３】  大面積の既耕地整理地区では現在でも高価なセンサー施設をしないで、暑い日中歩き難い泥田を重い肥料などを入た箕を抱きながら散布している。【０００４】
【０００５】  夫婦共稼時代で、留守の間は貴重な潅漑水が垂れ流しの状態が多く、下流の田にまで達しない時があるので、その場合に無断でその田の水止口を塞いで自分の田に潅水を引いていてお互に不快感を懐いでいて、いわゆる［我田引水］の弊が現在も存在している。【０００５】  粒状の肥料を圧縮ポンプを抱いて畦を伝いなすがら振って散布している。
【発明が解決しようとする課題】
【０００６】  高価なセンサー設備費を使用しないで、既設「取水Ｕ字溝体」、「潅漑Ｕ字溝」をそのまま使用して、安価に満水位を保持したい。
＊
【０００７】…参考
センサー設備費には圧縮ポンプ、その収納小屋、電気設備、センサー、既設灌漑Ｕ字溝列、同取水Ｕ字溝などの費用は相当大である。
【発明が解決しようとする課題】
【０００８】  「従来の技術」の「０００１」〜「０００４」の労苦や「０００７」の費用を少しでも少くすることを課題とする。
【課題を解決するための手段と実施例、効果】
【０００９】  二本の杭１１．１２の間に懸板２１の中央部のＶみを有する懸板を渡し、そのＶみに二本の紐８１．８２で［肥料などの収納袋７］を吊り，その上端部に針金輪の袋口７１から針金輪６１を通し、下端部に小さな数個の肥水噴出口７４を開けて肥料などを［取水Ｕ字溝体］の灌水に混入して、乗板３１の中央前端部に小長方形のストッパー４を接着或は木ねじで締めて乗板３１の前端部の心棒収納穴３３に心棒の先端５１を収納して，「収納袋」７を乗板３１．３２の上に乗せ，［取水Ｕ字溝体］の「吐水管」内円と「フロートびん体」上部の斜面との隙間ｓを満水時の高さＨと大にして保ち、一時に大量の潅水を要する田植直後、肥料、除草剤、防虫病剤の散布する時に相当量が空中に飛散して、大気を汚染して近隣の人々に不快感を与えているのを少しでも解消したい。
【００１０】  防土水筒９の上前部に二個の潅水出口９１．９２を幅ｂ１．ｂ２，深さｈ        、両潅水出口間の角度αに開いて広い田の全面に満遍に隅々まで完全に行き渡る効果がある。
【００１１】  心棒５の先端５１に収納されている間は、耕作者が他の田を回って帰って来るまで［取水Ｕ字溝体］の「吐水管」の内円とフロートの上部の斜面との隙間ｓが［フロートびん体］の浮力により満水高さＨと同じく大きく開き、一時に大量の潅水を要する時期に灌水できる効果がある。
【発明を実施するための最良の形態】
【００１２】  本発明物件［取水Ｕ字溝内に肥料などの収納装置］により、二本の紐８１．８２で「肥料などの収納袋７を吊り、［取水Ｕ字溝体］内の潅水に肥料などを混入した潅水を最も灌水の必要な田植え直後、肥料、防虫病剤散布の時期に［防土水筒］の両「潅水出口」から一時に大量の肥料などを混入した潅水をして、広い田の全面に灌水と共に到達できる。
【図面の簡単な説明】
【図１】  本発明物件を［取水Ｕ字溝］上端のリブに乗せた斜視図である。
【図２】  （ａ）は防土水筒前半分の側断面図で、（ｂ）はその平面図である。
【図３】  参考図として［取水Ｕ字溝体］（登録済）、［防土水筒］，［本発明物件］を組み合わせた側断面図である。
【符号の説明】
１１・１２  杭
２１  懸板  ２２  Ｖみ
３１．３２  乗板  ３３  心棒収納穴
４  ストッパー
５  心棒
６１  針金輪  ６２  結び紐
７  肥料などの収納袋  ７１  針金輪の袋口  ７２  袋口の接着先端  ７３  肥水噴出口
８１．８２  釣紐
９  防土水筒  ９１．９２  灌水出口
Ｈ  満水位のときの心棒の高さ
ｂ１．ｂ２  灌水出口の幅
ｄ  防土水筒のに内径
ｈ  灌水出口の高さ
ｓ  ［取水Ｕ字溝体］の「吐水管  」の隙間
α  両「潅水出口」間の角度
【図１】
2006055147.tif 000003
【図２】
2006055147.tif 000004
【図３】
2006055147.tif 000005
(57)【要約】［目的］赤ちゃんの離乳食  病人の流動食  ジュース等健康食品として常用する事を提供［構成］煎り米の粉末を特徴としての食品であると共にお好みの調味料を加えての食品の構成である【特許請求の範囲】
【請求項１】
生米に加熱をして煎り米になった状態からキツネ色なりキツネ色からコンガリ色に煎れた状態の煎り米を好みの煎り具合．色具合に分割して，その分割した煎り米を一分粉末  二分粉末  三分粉末  四分粉末  五分粉末六分粉末  七分粉末  八分粉末  九分粉末  完全粉末としたその粉末にお湯や水の注ぎ具合の度合いによって食べたり飲んだりできる範囲
【発明の詳細な説明】
【発明の詳細な説明】
【０００１】［産業上の分野］
食品の米の分野である
【０００２】［従来の技術］
生米の粉末はある
【０００３】［発明が解決しようとする課題］
これは次のような欠点があった
（イ）生米の粉のため改めて加熱したりしなければならない欠点がある
（ロ）本発明はその欠点を除くためになされたものである
【０００４】［課題を解決するための手段］
（イ）生米を煎り米にした（ロ）煎り米を粉末にした
（ハ）（ロ）の粉末にお湯や水を入れ即食べれたり、又  飲める用にした
【０００５】［作用］
お湯や水を注ぎ即飲食され粉末の割合によって食感もあり、煎ってあるので香ばしい香りもある
【０００６】［実施例］
お湯や水を注ぎ即食べられ又お好みの調味料を加えることによって美味しく食べられる。水分を多く注ぐ事によってジュースとして飲むことも出来る
【０００７】［発明の効果］
お米の栄養も損なわれないので、赤ちゃんの離乳食、病人の流動食水分を多く足すとジュースにもなる
(57)【要約】      （修正有）【課題】穴を通してゆるく縛った紐（針金等）でもずり落ちることのない、支柱を提供する。【解決手段】  支柱１に穴２を交互に数箇所あける。穴は支柱の太さに応じ、強度を考慮した大きさとする。【選択図】図１
2006055146.tif 000002
【特許請求の範囲】
【請求項１】
支柱に数箇所穴をあけた支柱。
【発明の詳細な説明】
【発明の詳細な説明】
この発明は、各種支柱に数箇所、紐等を通せる穴をあけたもの。
従来の支柱は、表面をイボ状に加工したものや竹に似せたもの、または加工を加えないものがある。支柱に野菜とか草花、植木等を縛る場合、きつく縛ると成長とともに枯れたり折れたりするため、生育を考えきつく縛ることが出来ない。この場合、実の重みなどで縛った部分がずり落ち手直しが必要である。また、支柱の使用後、縛った紐等は処分することが多く、次回使用するとき紐探しも手数である。
本発明は、それらを簡単な方法で解決したものである。これを図面について説明すれば、支柱部（１）の両端を除いた途中の部分に、穴（２）を正面と側面に数箇所交互にあけ、紐等を通す穴を設ける。
このようにすれば、穴を通してゆるく縛った紐（針金等）でもずり落ちることもなく、また、支柱を再度使用するときにも、以前使用した紐を残しておけば、紐を用意することもなく、手間がはぶけるうえ省エネにもなる。他に作物を鳥害等から防ぐため防御糸（釣り糸等）を張りめぐらすときなども、ずれることなく安心で用途は広い。
【図面の簡単な説明】
【図１】  本発明支柱の斜視図
【符号の説明】
１は支柱、２は穴
【図１】
2006055146.tif 000003
(57)【要約】【課題】サツマイモの柔らかくてポクポクした食感を活かし、現代の嗜好にあった味覚と上品な食感を有する新規なサツマイモの加工方法を提供する。【解決手段】（1）重量10ｇ〜50ｇ程度に乱切りカットしたサツマイモと（2）50ｇ〜500ｇ程度のサツマイモを皮付きの状態のもの、群から1又は2種類以上を原料として使用することを特徴とし、1又は2種類以上の甘味料と清水から溶液をつくり、上記（1）（2）を前記作成した溶液に漬浸し、沸騰させないように一次加熱した後、溶液ごと容器に移し冷却し3〜72時間漬け込み、次に漬け込んだサツマイモを取り出し十分に常温風乾させ電気式遠赤外線方式焼成機（電気オーブン）にて2次加熱しこれを包装し完成品とする。【特許請求の範囲】
【請求項１】
重量10ｇ〜50ｇに乱切りカットした（A1）生のサツマイモ（A2）油揚したサツマイモ（A3）焼成したサツマイモ（A4）蒸したサツマイモと、50ｇ〜500ｇ程度のサツマイモを皮付きの状態で（B1）一度焼成したもの（B2）生の状態のもの（B3）油揚したもの（B4）蒸したもの、以上のAからなる群とBからなる群から1又は2種類以上を原料として使用することを特徴とする。
【請求項２】
甘味料である砂糖、水あめ、ブドウ糖、転化糖、果糖、ソルビトール、マルチトース、パラチノース、カップリングシュガー、フラクトオリゴ糖、イソマルトオリゴ糖、ステビア、グリチルリチン、アスパルテーム、サッカリン、キシリトール及びトレハロース、蜂蜜、メイプルシロップからなる群から選択された1又は2種類以上の甘味料と清水から溶液をつくり、上記請求項1のA群又はB群を前記作成した溶液に漬浸し、沸騰させないように一次加熱した後、溶液ごと容器に移し冷却しながら3〜72時間漬け込み（大きさ、形状、質によりことなる）次に漬け込んだサツマイモを取り出し3〜24時間常温風乾させ遠赤外線方式焼成機にて品温80℃〜95℃まで2次加熱しこれを包装し、脱酸素剤を入れて完成品とするサツマイモの糖浸漬物の焼成方法
【発明の詳細な説明】
【技術分野】
【０００１】
本発明は、サツマイモを原料として焼成し調味液に漬け込みその後もう一度焼成することによる嗜好性の高いサツマイモの加工方法に関するものである。
【背景技術】
【０００２】
従来さつまいも加工品としては、蒸切干や甘露煮、芋ケンピなどあるがいずれも素朴な態様であるため、若年者や都市生活者には好まれず、さつまいもの需要の向上にはあまり寄与していない。
【特許文献１】特開平０７−０９５８４９
【発明の開示】
【発明が解決しようとする課題】
【０００３】
サツマイモを原料とする嗜好性の高いサツマイモ加工方法の提供をすることにより若年者や都市生活者にも好まれ、サツマイモの需要の向上を図る。
【課題を解決するための手段】
【０００４】
重量10ｇ〜50ｇに乱切りカットした（A1）生のサツマイモ（A2）油揚したサツマイモ（A3）焼成したサツマイモ（A4）蒸したサツマイモと、50ｇ〜500ｇ程度のサツマイモを皮付きの状態で（B1）一度焼成したもの（B2）生の状態のもの（B3）油揚したもの（B4）蒸したもの、以上のAからなる群とBからなる群から1又は2種類以上を原料として使用することを特徴とする。甘味料である砂糖、水あめ、ブドウ糖、転化糖、果糖、ソルビトール、マルチトース、パラチノース、カップリングシュガー、フラクトオリゴ糖、イソマルトオリゴ糖、ステビア、グリチルリチン、アスパルテーム、サッカリン、キシリトール及びトレハロース、蜂蜜、メイプルシロップからなる群から選択された1又は2種類以上の甘味料と清水から溶液をつくり、上記A群又はB群を前記作成した溶液に漬浸し、沸騰させないように一次加熱した後、溶液ごと容器に移し冷却しながら3〜72時間漬け込み（大きさ、形状、質によりことなる）次に漬け込んだサツマイモを取り出し3〜24時間常温風乾させ遠赤外線方式焼成機にて品温80℃〜95℃まで2次加熱しこれを包装し、脱酸素剤を入れて完成品とするサツマイモの糖浸漬物の焼成方法
【発明の効果】
【０００５】
これまでにない新しい食感と風味を兼ね備えたサツマイモ加工品を提供することにより、若年者や都市生活者にも好まれ、サツマイモの需要向上に役立つ。
【発明を実施するための最良の形態】
【０００６】
図1及び図2を用いて本発明のサツマイモの糖浸漬物の焼成方法を実施するための最良の形態について説明する。
【実施例１】
【０００７】
図1は本発明の実施例の説明図であり冷凍保管した重量15ｇ〜25ｇ程度に乱切りカットした油揚したサツマイモを、甘味料（トレハロース）250ｇ蜂蜜250ｇ清水500ｃｃの割合の溶液をつくり、解凍した上記乱切りカットした油揚サツマイモを漬浸し、沸騰させないように（煮崩れしないよう）10分程度加熱する。加熱後、溶液ごと容器に移し冷却し48時間漬け込む。次に漬け込んだサツマイモを取り出し6時間程度常温風乾させ電気式遠赤外線方式焼成機1000ｗにて10分程度焼成する。
【実施例２】
【０００８】
実施例1は乱切りカットした材料を用いて例を示したが、図2はこの実施例2に於いて、丸のままの状態で実施する場合の説明図で、各工程は実施例1と同じである。重量70ｇ〜100ｇ程度のサツマイモを皮付きの状態で一度焼成し冷凍保存したものを、甘味料（トレハロース）250ｇ蜂蜜250ｇ清水500ｃｃの割合の溶液をつくり、解凍した上記皮付きの状態で一度焼成したサツマイモを漬浸し、沸騰させないように、煮崩れしないよう、10分程度加熱する。加熱後、溶液ごと容器に移し冷却し48時間漬け込む。次に漬け込んだサツマイモを取り出し十分に6時間程度常温風乾させ式遠赤外線方式焼成機1000ｗにて10分程度焼成する。
【図面の簡単な説明】
【０００９】
【図１】本発明のサツマイモの糖浸漬物の焼成方法及びサツマイモの糖浸漬物の一実施例の説明図である。
【図２】同じく他の実施例の説明図である。
【符号の説明】
【００１０】
1、重量15ｇ〜25ｇに乱切りカットした油揚したサツマイモ。
2、甘味料（トレハロース）250ｇ蜂蜜250ｇ清水500ｃｃの割合の溶液をつくり1を漬け込み、沸騰させないように（煮崩れしないよう）10分程度加熱する。
3、溶液ごと容器に移し冷却し48時間漬け込む。
4、漬け込んだサツマイモを取り出し十分に6時間程度常温風乾する。
5、電気式遠赤外線方式焼成機1000ｗにて10分程度焼成する。
6、包装し脱酸素剤を入れたもの。
7、重量70ｇ〜100ｇのサツマイモを皮付きの状態で一度焼成し冷凍保存したもの。
8、甘味料（トレハロース）250ｇ蜂蜜250ｇ清水500ｃｃの割合の溶液をつくり1を漬け込み、沸騰させないように、煮崩れしないよう10分程度加熱する。
9、溶液ごと容器に移し冷却し48時間漬け込む。
10、漬け込んだサツマイモを取り出し十分に常温風乾（6時間程度）
11、電気式遠赤外線方式焼成機1000ｗにて10分程度焼成する。
12、包装し脱酸素剤を入れたもの。
【図１】
2006055089.tif 000002
【図２】
2006055089.tif 000003
(57)【要約】      （修正有）【課題】外気面と直接接する家屋の窓枠及び温室の柱、梁、窓枠の構造材として、耐えうる素材で腐食度が低く、熱伝導率の低い素材を用いて保温効果をより上げる構造材を提供する。【解決手段】家屋の窓枠及び温室用構造材として耐えうる強度を有し腐食度が著しく低く耐久性に富み且つ熱伝導率がアルミニュームの１／１０００である合成木材を用いる。【選択図】図１
2006055003.tif 000002
【特許請求の範囲】
【請求項１】
プラスチックスと木粉を混合した合成木材より成型された異型材を温室の柱、支柱、梁、窓枠、及び一般家屋の窓枠、ドアー枠に断熱構造材用途として用いること。
【発明の詳細な説明】
【技術分野】
【０００１】
本発明は温室及び家屋において室内面と外面間に温度差が生じる構築物の内外面
に接する構造材に対して熱伝導率の低い構造材を用いて熱量移動を極力抑え内面の保温効果を保つ技術。
【背景技術】
【０００２】
温室及び家屋に多用されている柱、梁、窓用等の構造材はアルミニューム、鉄及び乾燥木材の熱伝導率は下記の通りであります、
【０００３】
【表１】
2006055003.tif 000003
乾燥木材はアルミニューム材及び鉄材に比して極めて熱伝導率が低いことが知られています。  
【非特許文献１】大塚徳勝  著  「そこが知りたい物理学」  共立出版  株式会社
【０００４】
合成木材の熱伝導率は０．２３〜０．２４  W/mkであります、従って乾燥木材とほぼ
同等と考えられます。
【０００５】
現状は家屋の窓枠、温室の柱、梁、窓枠などの構造材は熱伝導率が合成木材の１０００倍にも拘らずアルミニューム材が主流である。
【０００６】
乾燥木材は熱伝導率が非常に低くい長所はあるが腐食及び変形等による耐久性に劣る  短所がある
【０００７】
鉄材の熱伝導率は乾燥木材の３７０倍となりアルミニュウムより低いが酸化腐食及び  高比重から単位当り重い構造材となる短所を有する。
【発明の開示】
【発明が解決しようとする課題】
【０００８】
外気面と直接接する家屋の窓枠及び温室の柱、梁、窓枠の構造材として耐えうる素材    で腐食度が低く如何に熱伝導率の低い素材を用いて保温効果をより上げる構造材を提供できるかである。
【課題を解決するための手段】
【０００９】
家屋の窓枠及び温室用構造材として腐食度が著しく低く耐久性に富み且つ熱伝導率の  低い素材として合成木材を用いる
【発明の効果】
【００１０】
合成木材とアルミニュームとの一定条件に於ける伝導熱量比較は次の通りである
設定条件、内気温２０℃ 、外気温０℃、時間１分間
伝導熱量はアルミニューム９４．４カロリー、合成木材０．０９２カロリーで有り
合成木材はアルミニュームの１／１０００の伝導熱量である。
現状において市販されている温室は３．３立方メートルに於ける構造材の温室の内外
面に接する面積は総面積の２０％〜２５％で有る為、合成木材より成型された構造材は冬季において熱損失を大きく防ぎ、保温を著しく保つ効果がある。  
1坪温室  図１参照
【図面の簡単な説明】
【００１１】
【図１】１坪温室の骨格立体図である。土台、柱、梁、窓枠などを示す
【図１】
2006055003.tif 000004
(57)【要約】【課題】発芽玄米が健康の維持増進に効果のあることは分かっているが、ほとんどの場合、乾燥状態にして流通保存されているので、圧力釜などの特殊な器材を用いないと柔らかく炊き上げることが出来なかった。【構成】玄米を水に浸漬せしめて発芽させた後、これを冷凍させる。【選択図】  なし【特許請求の範囲】
【請求項１】
玄米を水に浸漬せしめて発芽させた後、これを冷凍せしめることを特徴とする発芽玄米の加工処理方法。
【請求項２】
冷凍された発芽玄米が所定容量の袋へ密封されていることを特徴とする請求項１記載の発芽玄米の処理方法。
【発明の詳細な説明】
【技術分野】
【０００１】
この発明は発芽玄米の加工処理方法、詳しくは発芽状態にある玄米を良好な状態に保つことが出来ると共に、炊飯も容易な発芽玄米の加工処理方法に関するものである。
【背景技術】
【０００２】
発芽状態にある玄米は、健康維持増進に効果があるとして最近大いに注目されており、これを炊飯して食する人も多くなっている。なお、発芽玄米の炊飯方法には、発芽玄米だけで炊飯する方法と、白米に少量の発芽玄米を混ぜて炊飯する方法とがあり、前者の方が健康維持増進に効果が大きいことは当然である。
【特許文献１】なし。
【非特許文献１】なし。
【発明の開示】
【発明が解決しようとする課題】
【０００３】
玄米を発芽状態にする作業は最終消費者ではなく、一般に米穀業者の段階で行われており、最終消費者はこの発芽状態にある玄米を買い求めて、これを炊飯して食しているのが普通である。なお、玄米の発芽は、玄米を水に浸漬して適温に保持することによって行われている。
【０００４】
しかしながら、この様な方法によって一旦発芽した玄米は、そのままの状態では発芽が進行してしまい、炊飯に適さなくなってしまうので、従来においては発芽した玄米を乾燥させ、この乾燥状態にした発芽玄米を流通過程にのせ、最終消費者に提供することが行われている。一旦、乾燥させてしまえば、発芽の進行はストップするので、保存が容易になるという点において、この方法にメリットがあることは明らかである。
【０００５】
しかしながら、乾燥させた発芽玄米は水を加えて通常の炊飯器で煮ても十分には柔らかくはならず、固いままで到底喫食出来る状態にはならないので、喫食に適する様にするには、圧力釜などの特殊な器材を用いなければならなかった。又、白米中に少量を混ぜて炊き上げた場合も、発芽玄米だけが固いまま残ってしまい、これを食したとしても体内において消化させることは出来なかった。更に、乾燥により玄米にひび割れが生じ、米としての価値を低下させていた。
【０００６】
この様に、発芽玄米はその品質維持及び炊飯方法に問題があり、健康の維持増進に大きな効果を有しながら、実際にはその効果を十分に発揮させることは出来ないのが現状である。
【０００７】
本発明者は、発芽玄米に関する上記問題点を解決すべく鋭意研究した結果、発芽玄米を新鮮な状態に保ち続けられると共に、圧力釜などの特殊な器材を用いずとも柔らかく炊き上げることが出来、しかもひび割れといった品質低下を招くこともない発芽玄米の新しい加工処理方法を開発することに成功し、本発明としてここに提案するものである。
【課題を解決するための手段】
【０００８】
玄米を水に浸漬せしめて発芽させた後、これを冷凍せしめることにより上記課題を解決した。又、その際、冷凍された発芽玄米を所定容量の袋へ一定量ずつ個別に密封せしめると、保存及び使用の際に便利である。
【発明の効果】
【０００９】
この発明に係る方法によって加工処理された発芽玄米はそれ自体十分な水分を含有しており、乾燥状態にはないので、解凍後はすぐに生（なま）の状態に戻り、圧力釜などの特殊な器材ではなく、普通の炊飯器や炊飯釜で柔らかく炊き上げることが出来る。又、白米に混ぜて炊き上げた場合も、白米と同じ程度に柔らかく炊き上げることが出来る。更に、従来の乾燥させたものの様に、ひび割れが生じることがなく、米としての価値を低下させることはない。従って、健康の維持増進に効果がある発芽玄米の長所を十分に生かし、発芽玄米の需要を大いに増大させ得る効果を有する。
【発明を実施するための最良の形態】
【００１０】
発芽玄米を冷凍せしめる点に本質的特徴があり、これによって品質の保持及び炊飯の容易化といった効果がもたらされる。
【実施例１】
【００１１】
以下、本発明に係る発芽玄米の加工処理方法の一実施例について説明する。まずはじめに、玄米を水に浸漬し、適温に保持しつつ、一定時間静置して発芽させる。なお、この発芽方法自体は、従来行われているものと基本的に同一である。そして、この様にして発芽させた玄米を適当量袋詰めした後、これを冷凍処理して凍結させる。なお、この発芽玄米を収容する袋は、１合用、２合用などの様に、一回で使い切れる量が収容されるものが望ましい。
【００１２】
この冷凍させた状態で、保存、輸送、販売等を行い、最終消費者は家庭用冷蔵庫の冷凍棚などに入れてこれを消費するまでの期間保存する。そして、この冷凍状態にある発芽玄米を食するときは、発芽玄米を収容した袋を破って冷凍状態の発芽玄米を取り出し、炊飯器などに入れ、これに定量の水を加えて、通常の方法で炊き上げる。
【００１３】
冷凍状態にある発芽玄米は、水を加えることによって直ちに解凍されると共に、それ自体十分な水分を含有しているので、通常の炊飯器でも何ら問題なく柔らかく炊き上げることが出来、圧力釜などの特殊な器材は全く用いる必要がない。又、白米に混ぜて炊き上げる際にも、白米と同様に柔らかく炊き上げることが出来る。
【００１４】
この様に、この発明に係る発芽玄米の加工処理方法においては、冷凍という従来米穀関係分野においては全く行われていなかった処理方法を用いることにより、発芽玄米の保存性及び炊飯加工性を向上させており、極めて高い実用的価値を有するものである。
【産業上の利用可能性】
【００１５】
米穀関係分野、健康食品分野などにおいて大いに利用可能である。
(57)【要約】      （修正有）【課題】InP薄膜を低温度で結晶成長させる方を提供する。【解決手段】化合物半導体薄膜積層ウエハのエピタキシャル結晶成長において、３族有機金属のＴＥＩと５族材料のＰＨ３，ＴＥＰを細管内で５０℃に予熱し、エピタキシャル結晶成長ウエハの直前１５ｍｍ程度で混合し即座に反応させる様にした鎖状化合物の生成を抑制する原料供給工程と、材料相互の化学反応工程による高効率な５族材料の分解工程によりInP薄膜を低温度で結晶成長させる。【選択図】図１
2006339454.tif 000002
【特許請求の範囲】
【請求項１】
有機金属材料を用いたIII-V族化合物半導体薄膜積層ウエハのエピタキシャル結晶成長において鎖状化合物の生成を抑制する原料供給工程、材料相互の化学反応工程による高効率なV族材料の分解工程を備えたことを特徴とするInP薄膜の低温度結晶成長方法。
【発明の詳細な説明】
【技術分野】
【０００１】
本発明は、III-V族化合物半導体を用いたヘテロバイポーラトランジスタ(HBT)、へテロ電界効果トランジスタ(HFET)の基盤材料となるInP薄膜のエピタキシャル結晶成長方法に関するものである。
【背景技術】
【０００２】
III-V族化合物半導体を用いた電子デバイスの高速化と高耐圧化の実現にはエピタキシャル結晶の高品質化が必要とされる。InPはInGaAsに比べてバンドギャップが高いことから、HBTのエミッター層やコレクター層、HFETのバリア層に用いられ、デバイス性能として重要な動作速度、耐圧はInP 薄膜の品質に大きく依存する。従来技術ではInPのエピタキシャル成長は主にトリメチルインジウム(TMI)とフォスフィン(PH3)が用いられてきた。
【０００３】
しかし、PH3は熱分解温度が高温なため、熱分解が十分な温度ではInP薄膜内からPが抜け出すことから高いP圧力が必要となり、低温では分解が不十分あることから、いずれにしても多量なPH3流量を必要とされる。
【０００４】
一方、トリメチルフォスフィン(TMP)やトリエチルフォスフィン(TEP)などのV族有機金属をLewis酸としてTMIと反応させLewis acid-base complex を形成した後、PH3と反応させ効率的にPを供給する成長方法がある。
【０００５】
しかし、TMIは分解温度が高くInP薄膜内にメチル基の炭素が残存するため高品質化には高温成長となってしまう。また、熱分解温度が低いトリエチルインジウム(TEI)ではTEPやPH3との中間反応の制御ができずInPの成長は困難であった。
【発明の開示】
【発明が解決しようとする課題】
【０００６】
一般的な材料であるTMIとPH3を用いて高品質なInPを成長する場合、600℃程度の高温成長が必要となる。しかし、InPの高温成長はヘテロ界面に悪影響を及ぼすためHBTのエミッター層やHFETのバリア層に用いるInP薄膜成長は500℃以下の低温成長が必要である。しかし、500℃以下の低温ではTMIとPH3が十分に分解せず多量な材料を消費しても高品質なInP薄膜が得られていなかった。
【課題を解決するための手段】
【０００７】
上記の課題を解決するために、本発明ではTEIとPH3,TEP を原料として、中間反応を抑制する原料供給工程用い、効率的な化学反応工程により400℃の低温度で高効率かつ高品質なInP 薄膜のエピタキシャル結晶成長を達成している。
【発明の効果】
【０００８】
本発明によるエピタキシャル結晶成長方法を用いれば、低温度で高品質なInP薄膜を得ることができる。
【発明を実施するための最良の形態】
【０００９】
以下に、実施例について図面を参照して説明する。
【実施例】
【００１０】
InP薄膜のエピタキシャル結晶成長にはTEIとPH3,TEPを用いる。しかし、TEIとTEPによるLewis-acid-base complexが不安定であることとTEIとPH3は中間反応により安定な鎖状化合物を形成し、熱分解が困難であることから、TEI,PH3,TEPはInP 成長には適さないとR.H.MOSS,J.S.EVANSがJ.Crystal Growth 55(1981)129に報告している。
【００１１】
そこで、中間反応を抑制して原料供給する方法として図１に示す反応炉を用い、III族有機金属のTEIとV族材料のPH3,TEPを個別に細管内で50℃に予熱し、エピタキシャル結晶成長ウエハの直前15mm程度で混合し即座に反応する構造とすることで、中間反応を抑制してInP薄膜を成長した。
【００１２】
表１に成長温度、InP結晶の表面検査による表面凹凸状態(Haze)、材料の供給量、V/III材料比率を示す。
【００１３】
【表１】
2006339454.tif 000003
【００１４】
成長温度465℃において試料番号No.1,5,6,7,8の比較から明らかなようにTEIとPH3,TEPを用いることにより、TEIとPH3或はターシャルブチルフォスフェン(TBP)に比べ低いV/IIIでも良好な表面状態が得られた。試料番号No1,2,3,4の結果に示すように成長温度を400℃まで降下しても良好な表面状態に変化がない。試料番号No.9,10の結果からTEIとTEPでは570℃においてもTEPが熱分解しないことからInPを成長することができず、TEIとPH3,TEPによるInP成長が効率的なPH3,とTEPの化学反応工程が十分なPを供給し、低温成長を可能にしている。
【００１５】
表２に炭素ドープInGaAs薄膜のエピタキシャル結晶の成長温度、表面検査による表面凹凸状態(Haze)、材料の供給量、V/III材料比率を示す。
【００１６】
【表２】
2006339454.tif 000004
【００１７】
InGaAs結晶の成長においてもTEI,TEG,TEAs,AsH3を用いることにより試料番号No.11,12,13の結果に示すように成長温度を475℃から430℃まで降下しても良好な表面状態が得られた。一方、成長温度475℃でTEI,TEG,TEAsを用いた試料番号No.14では表面が白濁し、表面検査測定範囲を超えてしまった。また、成長温度430℃でTEI,TEG,AsH3を用いてAsの供給量を増やしV/III比を34とした試料番号No.15も同様に表面が白濁した。
【００１８】
このことから、InP成長と同様にInGaAs成長においてもAsH3とTEAsの化学反応工程が十分なAsを供給し、低温成長を可能にしている。P及びAsの結果からV族元素をMVとすると以下の化学反応工程（数１）により低温成長を実現している。
【００１９】
（数１）
MV(C2H5)3+ MVH3  →  2MV+3C2H2
【図面の簡単な説明】
【００２０】
【図１】本発明に用いる結晶成長装置の概略図
【図１】
2006339454.tif 000005
(57)【要約】      （修正有）【課題】屋根の単位面積あたりの、太陽熱の変換効率のアップ及び製造コストの削減になる太陽電池の層受光システムを提供する。【解決手段】上空間に伸ばすため、屋上のモジュールを多段のはしご段式にしたシステム構成とする。段の間は、太陽の光がさしこむように４０ｃｍ位とし、各モジュール２を支え棒３で支え、全体を風抜き孔つきカプセル１で覆う。【選択図】図１
2006339620.tif 000002
【特許請求の範囲】
【請求項１】
太陽電池システムとして、一たんが、太陽電池セル又はモジュールを、はしご段式又は多段式又はらせん状式2006339620.tif 000005
したところの、太陽電池の立体又は層又は段差受光システム
【請求項２】
上記の、太陽電池セル又はモジュールの層受光システムによるところの、又はよらないところの、ソーラーオートバイ又はソーラーバイク又はソーラー自転車。
【発明の詳細な説明】
【０１】電気。動力関係〔従来〕
【０２】太陽電池は、平面の、一段のシステムであり、太陽エネルギーは豊富でも、その変換効率（１０％）とコストとともにまず2006339620.tif 000003
〔課題〕
【０３】太陽発電におき、面積の限界を2006339620.tif 000004
〔方法〕
【０４】◎上空間に伸ばす。つまり、はしご段式にモジュールをおく。そこで、たとえば屋根の土地の面積あたりや、ソーラーカーの、屋根の面積あたりの限界をラクにする〔実施例〕
【０５】○屋根の上に、太陽電池モジュールを、多段の、はしご段状におく。段差の間は、太陽がさしこめる４０ｃｍ位。風に強くするため、排風の穴をもうけたカプセルをかぶしてもよい。〔効果〕
【０６】モジュールをはしご段上に、あいている上空間に伸びて設置できたため、屋根の面積での従来の限界をラクにできた。これは、たとえばアパートの狭い屋根の人でも大きな太陽発電もできる事にはじめてなるともかく、太陽電池発電におき土地をくう事の助けになるし、又これは単位面積あたりの、変換効率のアップに結果的につながるものであるつまり、太陽熱は１ｍ２あたり１ｋｗの力をもつが、今の太陽電池の変換率は１０〜２０％程度であるので、従来１ｍ２あたり１００〜２００Ｖであったが、この層受光システムであれば、１ｍ２あたり１ｋｗの、太陽光利用が１０段の層であればはじめてできる。５段であっても、０５ｋｗである
【図面の簡単な説明】
【０９】
【図１】請求項たちのかんたんな概念図。の１つでソーラー発電の家。
【図２】請求項たちのかんたんな概念図の２つめで、ソーラーのハイブリッドカー。
【符号の説明】
【１０】〔図１〕１はカプセル２（たち）は太陽電池のモジュール３は支え棒４は家の屋根〔図２〕１はカプセル２は太陽電池のモジュール３は支え棒４は車（車体）
【図１】
2006339620.tif 000006
【図２】
2006339620.tif 000007
【手続補正書】
【提出日】平成17年6月21日(2005.6.21)
【手続補正１】
【補正対象書類名】特許請求の範囲
【補正対象項目名】全文
【補正方法】変更
【補正の内容】
【特許請求の範囲】
【請求項１】
一たんが、アンテナと、及び同調コイルとバリコンと、及びコヒ−ラ又はコイル及び整流器であるところの電波電池
【請求項２】
電波による電池
【手続補正書】
【提出日】平成17年6月30日(2005.6.30)
【手続補正１】
【補正対象書類名】特許請求の範囲
【補正対象項目名】全文
【補正方法】変更
【補正の内容】
【特許請求の範囲】
【請求項１】
一たんがアンテナと、同調コイルとバリコンと、及びコヒーラ又はコイル及び整流器であるところの電波電池
【請求項２】
一たんが、ループアンテナと、リング形の圧電素子と、それに接着の超音波振動の振動体と、それに接着のローターと、及びそのローターで回る磁石と、そのまわりのコイルと、及びそとからの導線での整流器であるところの電波電池
【請求項３】
電波による電池